(57)【要約】【課題】乾燥能力を向上することができる布団乾燥機を提供する。【解決手段】送風ファン１４を配した本体部２と、本体部２から突出して掛布団Ｋと敷布団Ｓとの間に挿入される挿入部１０と、送風ファン１４により本体部２内に流入した空気を加熱するヒータ１８とを備え、挿入部１０の前端から掛布団Ｋと敷布団Ｓとの間に温風を送出する布団乾燥機１において、挿入部１０の後端に対して本体部２が両側方に突出し、挿入部１０の後端１３ｂの高さＨ１を挿入部１０の前端部の高さＨ２よりも低くした。【選択図】図１
2016158696.tif 000002
【特許請求の範囲】
【請求項１】
送風ファンを配した本体部と、前記本体部から突出して掛布団と敷布団との間に挿入される挿入部と、前記送風ファンにより前記本体部内に流入した空気を加熱するヒータとを備え、前記挿入部の前端から掛布団と敷布団との間に温風を送出する布団乾燥機において、
前記挿入部の後端に対して前記本体部が両側方に突出し、前記挿入部の後端の高さが前記挿入部の前端部よりも低いことを特徴とする布団乾燥機。
【請求項２】
前記挿入部が前記本体部に連結して前面に気流の吐出口が形成されるノズル部と、前記ノズル部の前端に連結して前記吐出口から吐出される気流を前方に導く案内部とを有することを特徴とする請求項１に記載の布団乾燥機。
【請求項３】
前記ノズル部の下面に対して前記案内部の下面の後端が上方に配されることを特徴とする請求項１又は２に記載の布団乾燥機。
【請求項４】
前記挿入部の両側面から外側に突出する遮蔽板を設け、前記遮蔽板の上面が前記挿入部から離れるに従って下方に傾斜することを特徴とする請求項１〜３のいずれかに記載の布団乾燥機。
【請求項５】
前記本体部に回動可動に配されるとともに、上方から掛布団と前記挿入部とを一体に挟持する挟持部を設けたことを特徴とする請求項１〜４のいずれかに記載の布団乾燥機。
【発明の詳細な説明】
【技術分野】
【０００１】
本発明は、温風を送出して布団を乾燥させる布団乾燥機に関する。
【背景技術】
【０００２】
従来の布団乾燥機は特許文献１に開示されている。この布団乾燥機は送風ファンを配した本体部と、本体部から前方に延びる挿入部とを備えている。挿入部の高さは本体部よりも低く形成され、挿入部の横幅は本体部と略等しくなっている。本体部には空気の吸込口が開口し、挿入部の前面には空気の吐出口が開口する。本体部及び挿入部の内部には吸込口と吐出口とを連通させる送風ダクトが形成される。送風ファンは送風ダクト内に設置され、送風ファンの下流側にはヒータが配される。
【０００３】
上記構成の布団乾燥機において、敷き布団と掛け布団との間に挿入部を挿入し、送風ファン及びヒータを駆動して挿入部の前端の吐出口から温風が送出される。これにより、敷布団と掛布団とを乾燥させる。
【先行技術文献】
【特許文献】
【０００４】
【特許文献１】特開２０１３−７５１５２号公報
【発明の概要】
【発明が解決しようとする課題】
【０００５】
上記従来の布団乾燥機によると、挿入部の側方には挿入部の上面を覆う掛布団と敷布団との間に空間が形成される。この時、挿入部の側方で該空間が掛布団の端縁の下方に開口部を形成し、該空間に進入する温風が開口部を介して漏れる場合がある。従って、敷布団及び掛布団の乾燥が不十分となる問題があった。
【０００６】
本発明は、乾燥能力を向上できる布団乾燥機を提供することを目的とする。
【課題を解決するための手段】
【０００７】
上記目的を達成するために本発明は、送風ファンを配した本体部と、前記本体部から突出して掛布団と敷布団との間に挿入される挿入部と、前記送風ファンにより前記本体部内に流入した空気を加熱するヒータとを備え、前記挿入部の前端から掛布団と敷布団との間に温風を送出する布団乾燥機において、前記挿入部の後端に対して前記本体部が両側方に突出し、前記挿入部の後端の高さが前記挿入部の前端部よりも低いことを特徴とする。
【０００８】
また本発明は、上記構成の布団乾燥機において、前記挿入部が前記本体部に連結して前面に気流の吐出口が形成されるノズル部と、前記ノズル部の前端に連結して前記吐出口から吐出される気流を前方に導く案内部とを有することを特徴とする。
【０００９】
また本発明は、上記構成の布団乾燥機において、前記案内部が前記ノズル部の前端に回動可能に設けられ、前記ノズル部の前方に配された位置から回動して前記ノズル部の上面を覆う位置に配置できることを特徴とする。
【００１０】
また本発明は、上記構成の布団乾燥機において、前記ノズル部は気流が流通する第１ダクトを有し、前記案内部が第１ダクトに連通する第２ダクトを有することを特徴とする。
【００１１】
また本発明は、上記構成の布団乾燥機において、前記ノズル部の下面に対して前記案内部の下面の後端が上方に配されることを特徴とする。
【００１２】
また本発明は、上記構成の布団乾燥機において、前記挿入部の両側面から外側に突出する遮蔽板を設け、前記遮蔽板の上面が前記挿入部から離れるに従って下方に傾斜することを特徴とする。
【００１３】
また本発明は、上記構成の布団乾燥機において、前記本体部に回動可動に配されるとともに、上方から掛布団と前記挿入部とを一体に挟持する挟持部を設けたことを特徴とする。
【００１４】
また本発明は、上記構成の布団乾燥機において、前記本体部の側面に上下動及び回動可能に支持される一対のアーム部を備え、前記挟持部が前記アーム部の前端に取り付けられることを特徴とする。
【発明の効果】
【００１５】
本発明によると、挿入部の後端に対して本体部が両側方に突出し、挿入部の後端の高さが前端部よりも低い。これにより、掛布団の端縁が低く配されるとともに、挿入部の側方で本体部に面して配される。このため、挿入部の側方に形成される掛布団と敷布団との間の空間を介した温風の漏れを低減できる。従って、布団乾燥機の乾燥能力を向上することができる。
【図面の簡単な説明】
【００１６】
【図１】本発明の第１実施形態の布団乾燥機を示す斜視図
【図２】本発明の第１実施形態の布団乾燥機を示す側面断面図
【図３】本発明の第１実施形態の布団乾燥機を示す上面断面図
【図４】本発明の第１実施形態の布団乾燥機の布団乾燥時の状態を示す斜視図
【図５】本発明の第２実施形態の布団乾燥機を示す斜視図
【図６】本発明の第２実施形態の布団乾燥機のカバーを閉じた状態を示す側面図
【図７】本発明の第２実施形態の布団乾燥機のカバーを開いた状態を示す側面図
【図８】本発明の第３実施形態の布団乾燥機を示す斜視図
【図９】本発明の第４実施形態の布団乾燥機を示す斜視図
【図１０】本発明の第５実施形態の布団乾燥機を示す斜視図
【図１１】本発明の第６実施形態の布団乾燥機を示す斜視図
【図１２】本発明の第６実施形態の布団乾燥機の挟持部の収納状態を示す斜視図
【発明を実施するための形態】
【００１７】
＜第１実施形態＞
以下に図面を参照して本発明の実施形態を説明する。図１〜図３は第１実施形態の布団乾燥機１の斜視図、側面断面図、上面断面図を示している。
【００１８】
布団乾燥機１は本体部２及び挿入部１０を有している。本体部２は断面矩形状に形成され、上面２ａに操作ボタン５が配される。本体部２の背面には左右方向に偏った位置に吸込口４が開口し、脚部６が四隅に突設される。床面上に脚部６を接地して布団乾燥機１を立設した状態で収納可能になっている。
【００１９】
挿入部１０は本体部２の前面２ｂから前方に延び、前面に吐出口１２を開口したノズル部１３により形成される。ノズル部１３の上面１３ｊは本体部２側から平坦部１３ｃ、傾斜部１３ｆ、平坦部１３ｇを有している。平坦部１３ｃ及び平坦部１３ｇは水平に形成され、平坦部１３ｃが平坦部１３ｇよりも下方に配される。傾斜部１３ｆは平坦部１３ｃと平坦部１３ｇとを連結し、前方に向かって上方に傾斜する。
【００２０】
これにより、ノズル部１３の後端１３ｂの高さＨ１は前端１３ａの高さＨ２よりも低く形成される。また、本体部２はノズル部１３の後端１３ｂに対して両側方及び上方に突出している。平坦部１３ｃ及び傾斜部１３ｆに隣接する両側面１３ｋの上端部は後述する掛布団Ｋに沿うように曲面の傾斜面に形成される。
【００２１】
また、平坦部１３ｃ及び傾斜部１３ｆは着脱可能なカバー２５によって上方を覆われる。カバー２５は装着時に後端２５ｂが本体部２に当接し、前端２５ａが平坦部１３ｇと傾斜部１３ｆと間の段差部１３ｈに当接する。また、カバー２５を取り外して布団乾燥が行われる。尚、カバー２５を本体部２に枢支し、本体部２の上方に回動させて布団乾燥を行ってもよい。
【００２２】
本体部２及びノズル部１３内には前後方向に延びて吸込口４と吐出口１２とを連結する送風ダクト１１が設けられる。本体部２内の送風ダクト１１には送風ファン１４が配される。送風ファン１４はシロッコファンから成り、軸部１５ａを介してモータ１５に連結される。
【００２３】
送風ダクト１１は送風ファン１４の下流で左右方向に拡幅し、ノズル部１３内の送風ダクト１１には前後方向に延びる仕切板１６が設けられている。仕切板１６の左右にはヒータ１８及びイオン発生装置１７が配される。ヒータ１８は送風ダクト１１を流通する気流を加熱する。
【００２４】
イオン発生装置１７は送風ダクト１１に面した一対の放電電極１７ａを有している。放電電極１７ａは交流波形またはインパルス波形から成る高電圧の印加によってコロナ放電が発生する。
【００２５】
一方の放電電極１７ａには正電圧が印加され、コロナ放電により空気中の水分子が電離して水素イオンが生成される。この水素イオンが溶媒和エネルギーにより空気中の水分子とクラスタリングする。これにより、Ｈ+（Ｈ2Ｏ）ｍ（ｍは０または任意の自然数）から成る空気イオンのプラスイオンが放出される。
【００２６】
他方の放電電極１７ａには負電圧が印加され、コロナ放電により空気中の酸素分子または水分子が電離して酸素イオンが生成される。この酸素イオンが溶媒和エネルギーにより空気中の水分子とクラスタリングする。これにより、Ｏ2-（Ｈ2Ｏ）ｎ（ｎは任意の自然数）から成る空気イオンのマイナスイオンが放出される。
【００２７】
Ｈ+（Ｈ2Ｏ）ｍ及びＯ2-（Ｈ2Ｏ）ｎは空気中の浮遊菌や臭い成分の表面で凝集してこれらを取り囲む。そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。従って、吐出口１２を介してプラスイオン及びマイナスイオンを送出することにより、布団等の殺菌及び臭い除去を行うことができる。
【００２８】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００２９】
図４は布団乾燥機１の布団乾燥時の状態を示す斜視図である。カバー２５を取り外したノズル部１３（挿入部１０）は敷布団Ｓと掛布団Ｋとの間に挿入される。この時、掛布団Ｋの端部Ｋ１は本体部２に当接してノズル部１３の後端１３ｂに配される。
【００３０】
操作ボタン５の操作により送風ファン１４、ヒータ１８及びイオン発生装置１７が駆動されると、吸込口４から送風ダクト１１内に外気が流入する。送風ダクト１１を流通する気流はヒータ１８により加熱され、イオン発生装置１７で発生したイオンが含まれる。そして、イオンを含む温風が吐出口１２から送出される。これにより、敷布団Ｓ及び掛布団Ｋの乾燥が行われるとともにイオンによる殺菌や脱臭が行われる。
【００３１】
ノズル部１３の両側方にはノズル部１３の上面を覆う掛布団Ｋと敷布団Ｓとの間に空間が形成される。この時、ノズル部１３の後端１３ｂの高さＨ２は前端１３ａの高さＨ１よりも低いため、掛布団Ｋの本体部２側の端縁で該空間が掛布団Ｋにより塞がれる。これにより、該空間による外部に連通した開口部の形成を防止でき、温風の漏れを低減することができる。
【００３２】
また、本体部２はノズル部１３の後端１３ｂに対して両側方に突出している。このため、本体部２に当接した掛布団Ｋの端縁がノズル部１３の側方で本体部２に面して配される。これにより、ノズル部１３の両側方に開口部が形成された場合でも本体部２によって塞がれる。従って、温風の漏れをより確実に低減することができる。
【００３３】
本実施形態によると、ノズル部１３（挿入部１０）の後端１３ｂに対して本体部２が両側方に突出する。また、ノズル部１３の後端１３ｂの高さＨ１が前端１３ａの高さＨ２よりも低く形成される。これにより、ノズル部１３の側方に形成される掛布団Ｋと敷布団Ｓとの間の空間を介した温風の漏れを低減できる。また、ノズル部１３の前端１３ａが高いため、ノズル部１３の前方の空間を広く形成して温風を遠くまで行き届かせることができる。従って、布団乾燥機１の乾燥能力を向上することができる。
【００３４】
＜第２実施形態＞
次に、図５は第２実施形態の布団乾燥機１の斜視図を示している。説明の便宜上、前述の図１〜図４に示す第１実施形態と同様の部分には同一の符号を付している。本実施形態は第１実施形態に対してノズル部１３及びカバー２５の構造が異なっている。その他の部分は第１実施形態と同様である。
【００３５】
ノズル部１３の上面１３ｊは前方を下方に傾斜しており、両側面１３ｋの上部は曲面の傾斜面に形成される。ノズル部１３の側面１３ｋの前端部にはカバー２５が矢印Ｕに示すように回動軸２５ｃを中心に回動可能に設けられている。これにより、図６に示すように、ノズル部１３の上面１３ｊを覆う位置にカバー２５を配置して布団乾燥機１が収納される。
【００３６】
一方、布団乾燥時には図７に示すようにカバー２５がノズル部１３の前方に配される。ノズル部１３及びカバー２５によって敷布団Ｓと掛布団Ｋ（図４参照）との間に挿入される挿入部１０が形成される。この時、挿入部１０の後端（ノズル部１３の後端１３ｂ）の高さＨ１は前端（カバー２５の前端部２５ｅ）の高さＨ２よりも低くなっている。また、カバー２５の下面の後端部はノズル部１３の下面に対して上方に配され、カバー２５の下方には隙間Ｔが形成される。
【００３７】
上記構成の布団乾燥機１において、挿入部１０が敷布団Ｓと掛布団Ｋとの間に挿入され、送風ファン１４、ヒータ１８及びイオン発生装置１７が駆動される。これにより、イオンを含む温風がノズル部１３の前面の吐出口１２から送出される。吐出口１２から送出された温風は掛布団Ｋにより上方を覆われたカバー２５（案内部）によって前方に案内される。これにより、敷布団Ｓ及び掛布団Ｋの乾燥が行われ、イオンによる殺菌や脱臭が行われる。
【００３８】
本実施形態によると第１実施形態と同様に、挿入部１０（ノズル部１３）の後端１３ｂに対して本体部２が両側方に突出する。また、挿入部１０の後端の高さＨ１が前端部の高さＨ２よりも低く形成される。従って、布団乾燥機１の乾燥能力を向上することができる。
【００３９】
また、挿入部１０が本体部２に連結するノズル部１３と、ノズル部１３の前端部に連結して吐出口１２から吐出される気流を前方に導くカバー２５（案内部）とを有する。このため、挿入部１０を敷布団Ｓと掛布団Ｋとの間の奥まで挿入でき、温風をより遠くまで行き届かせることができる。従って、布団乾燥機１の乾燥能力をより向上することができる。
【００４０】
また、カバー２５がノズル部１３の前端に回動可能に設けられ、ノズル部１３の前方に配された位置から回動してノズル部１３の上面１３ｊを覆う位置に配置できる。これにより、布団乾燥機１を使用しない時にはノズル部１３の上面１３ｊを覆う位置にカバー２５を配置して布団乾燥機１をコンパクトに収納することができる。尚、カバー２５をノズル部１３に回動可能に設けているが、着脱可能なカバー２５をノズル部１３の前方に連結してもよい。
【００４１】
また、ノズル部１３の下面に対してカバー２５（案内部）の下面の後端部が上方に配される。このため、挿入部１０の両側方に形成される敷布団Ｓと掛布団Ｋとの間の空間を介して隙間Ｔに温風が流通する。従って、温風がより広い範囲に行き届き、布団乾燥機１の乾燥能力をより向上することができる。
【００４２】
＜第３実施形態＞
次に、図８は第３実施形態の布団乾燥機１の斜視図を示している。説明の便宜上、前述の図５〜図７に示す第２実施形態と同様の部分には同一の符号を付している。本実施形態は第２実施形態に対してカバー２５の構造が異なる。その他の部分は第２実施形態と同様である。
【００４３】
カバー２５にはダクト部２６（第２ダクト）が設けられている。ダクト部２６の後面にはノズル部１３の吐出口１２に対向する連通口（不図示）が開口する。ダクト部２６の前面には吐出口２６ａが開口し、吐出口２６ａは吐出口１２に対して左右方向に拡幅されている。
【００４４】
ダクト部２６の両側面にはカバー２５の側面２５ｄを貫通する吐出口２６ｂが設けられる。ダクト部２６とノズル部１３とはヒンジ２４により連結され、カバー２５は矢印Ｕで示すように回動可能に設けられる。これにより、ノズル部１３の上面１３ｊを覆う位置にカバー２５を配置して布団乾燥機１が収納される。
【００４５】
一方、布団乾燥時には同図に示すようにカバー２５がノズル部１３の前方に配され、挿入部１０を形成する。この時、挿入部１０の後端の高さＨ１（図７参照）は前端部の高さＨ２（図７参照）よりも低くなっている。また、カバー２５の下面の後端部はノズル部１３の下面に対して上方に配され、カバー２５の下方には隙間Ｔが形成される。
【００４６】
上記構成の布団乾燥機１において、布団乾燥機１が駆動されると、送風ダクト１１（第１ダクト）を流通する温風は吐出口１２から送出される。吐出口１２から送出された温風はカバー２５のダクト部２６により前方に案内され、吐出口２６ａ及び吐出口２６ｂから吐出される。これにより、カバー２５の前方及び側方に温風が行き渡り、敷布団Ｓ及び掛布団Ｋの乾燥が行われるとともにイオンによる殺菌や脱臭が行われる。
【００４７】
また、カバー２５と敷布団Ｓとの間には隙間Ｔが形成されるため、敷布団Ｓと掛布団Ｋとの間の広範囲に温風が行き渡る。
【００４８】
本実施形態によると第２実施形態と同様の効果を奏することができる。また、ノズル部１３は気流が流通する送風ダクト１１（第１ダクト）を有し、カバー２５が送風ダクト１１に連通するダクト部２６（第２ダクト）を有する。このため、ダクト部２６を介してカバー２５内を温風が流通し、カバー２５を覆う掛布団Ｋによる温風の遮断を防止することができる。従って、温風を遠くまでより確実に行き届かせることができる。
【００４９】
また、ダクト部２６が前方及び側方に温風を送出する吐出口２６ａ及び吐出口２６ｂを有するので、より広い範囲に温風を行き届かせることができる。
【００５０】
＜第４実施形態＞
次に、図９は第４実施形態の布団乾燥機１の斜視図を示している。説明の便宜上、前述の図１〜図４に示す第１実施形態と同様の部分には同一の符号を付している。本実施形態は第１実施形態に対してノズル部１３の形状が異なり、遮蔽板２３が設けられている。その他の部分は第１実施形態と同様である。
【００５１】
ノズル部１３の上面１３ｊは前方を上方に傾斜している。これにより、ノズル部１３の後端１３ｂの高さＨ１（図２参照）は前端１３ａの高さＨ２（図２参照）よりも低く形成される。また、本体部２はノズル部１３の後端１３ｂに対して両側方及び上方に突出している。また、側面１３ｋは曲面の傾斜面に形成される。尚、側面１３ｋが複数の平面の傾斜面を有した断面多角形状にノズル部１３を形成してもよい。
【００５２】
遮蔽板２３はノズル部１３の上面１３ｊ及び側面１３ｋの一部を覆い、本体部２から所定距離離れた位置に着脱可能に設けられる。遮蔽板２３はノズル部１３の両側面１３ｋから外側に突出し、上面２３ａがノズル部１３から離れるに従って下方に傾斜している。掛布団Ｋ（図４参照）は遮蔽板２３の上面２３ａに沿って配され、ノズル部１３の側方に形成される掛布団Ｋと敷布団Ｓとの間の空間が遮蔽板２３により遮蔽される。
【００５３】
本実施形態によると、第１実施形態と同様の効果を奏することができる。また、ノズル部１３（挿入部１０）の両側面から外側に突出する遮蔽板２３の上面２３ａがノズル部１３から離れるに従って下方に傾斜する。これにより、ノズル部１３の側方に形成される掛布団Ｋと敷布団Ｓとの間の空間を遮蔽板２３により遮蔽し、温風の漏れをより低減することができる。
【００５４】
＜第５実施形態＞
次に、図１０は第５実施形態の布団乾燥機１の斜視図を示している。説明の便宜上、前述の図９に示す第４実施形態と同様の部分には同一の符号を付している。本実施形態はノズル部１３の側面１３ｋが上下に形成され、側面１３ｋには複数の遮蔽板２３が前後方向に所定間隔で設けられる。その他の部分は第４実施形態と同様である。なお、遮蔽板２３の上面２３ａは多角形状に形成されているが、曲面の傾斜面に形成されてもよい。
【００５５】
本実施形態によると、第４実施形態と同様の効果を奏し、複数の遮蔽板２３によって温風の漏れをより確実に低減することができる。また、本実施形態において、本体部２に対して遮蔽板２３を両側方に突出してもよい。また、遮蔽板２３の大きさ前後方向で可変させてもよい。尚、第４、第５実施形態と同様の遮蔽板２３を第１〜第３実施形態の布団乾燥機１に設けてもよい。
【００５６】
＜第６実施形態＞
次に、図１１は第６実施形態の布団乾燥機１の斜視図を示している。説明の便宜上、前述の図９に示す第４実施形態と同様の部分には同一の符号を付している。本実施形態は第４実施形態に対して遮蔽板２３が省略され、挟持部２１が設けられている。その他の部分は第４実施形態と同様である。
【００５７】
挟持部２１はコ字状に形成され、屈曲する左右の端部から延びるアーム部２２を介して本体部２に連結される。即ち、アーム部２２の前端に挟持部２１が設けられている。アーム部２２の後端には内側に突出する嵌合部２２ａが設けられている。嵌合部２２ａは本体部２の側面２ｄに上下に延びたレール部２ｅに嵌合し、アーム部２２が上下方向にスライド可能で前後方向に回動可能になっている。
【００５８】
上記構成の布団乾燥機１において、布団乾燥機１の収納時には図１２に示すようにアーム部２２がレール部２ｅに沿って立設され、挟持部２１が本体部２の上端部に配される。これにより、布団乾燥機１をコンパクトに収納できる。
【００５９】
布団乾燥機１を使用する際には図１１に示すように挟持部２１を前方へ回動させ、挟持部２１により上方から掛布団Ｋとノズル部１３とを一体に挟持する。これにより、ノズル部１３の側方に形成される敷布団Ｓと掛布団Ｋとの間の空間を流通する温風の漏れを低減できる。
【００６０】
本実施形態によると、上方から掛布団Ｋとノズル部１３とを一体に挟持する挟持部２１を本体部２に回動可動に設けたので、温風の漏れをより確実に低減することができる。
【００６１】
また、本体部２の側面２ｄに上下動及び回動可能に支持される一対のアーム部２２の前端に挟持部２１が取り付けられる。これにより、掛布団Ｋとノズル部１３とを一体に挟持する挟持部２１を容易に実現できるとともに、布団乾燥機１をコンパクトに収納することができる。
【００６２】
尚、本実施形態と同様の挟持部２１及びアーム部２２を第１〜第５実施形態に設けてもよい。第１〜第６実施形態において、脚部６を接地して布団乾燥機１を立設した状態で駆動し、衣類の乾燥を行ってもよい。この時、吐出口１２を回動可能に形成して温風の送出方向を可変してもよい。
【産業上の利用可能性】
【００６３】
本発明によると、温風を送出して布団を乾燥させる布団乾燥機に利用することができる。
【符号の説明】
【００６４】
１    布団乾燥機
２    本体部
２ａ  上面
２ｂ  前面
２ｅ  レール部
４    吸込口
５    操作ボタン
６    脚部
１０    挿入部
１１    送風ダクト（第１ダクト）
１２    吐出口
１３    ノズル部
１３ａ  前端
１３ｂ  後端
１３ｃ、１３ｇ  平坦部
１３ｆ  傾斜部
１３ｈ  段差部
１３ｊ  上面
１３ｋ  側面
１４    送風ファン
１５    モータ
１６    仕切板
１７    イオン発生装置
１８    ヒータ
２１    挟持部
２２    アーム部
２２ａ  嵌合部
２２ｅ  レール部
２３    遮蔽板
２３ａ  上面
２４    ヒンジ
２５    カバー（案内部）
２５ａ  前端部
２５ｃ  軸部
２５ｄ  側面
２５ｅ  上端
２６    ダクト部（第２ダクト）
２６ａ、２６ｂ  吐出口
２６ｄ  後端
Ｋ    掛布団
Ｋ１  端部
Ｓ    敷布団
Ｔ    隙間
【図１】
2016158696.tif 000003
【図２】
2016158696.tif 000004
【図３】
2016158696.tif 000005
【図４】
2016158696.tif 000006
【図５】
2016158696.tif 000007
【図６】
2016158696.tif 000008
【図７】
2016158696.tif 000009
【図８】
2016158696.tif 000010
【図９】
2016158696.tif 000011
【図１０】
2016158696.tif 000012
【図１１】
2016158696.tif 000013
【図１２】
2016158696.tif 000014